(57)【要約】【課題】データ伝送システム中のシステム資源を管理する方法およびシステムを提供すること。【解決手段】適応パケット非活動タイマをデータ伝送システムに関連づけることができ、適応パケット非活動タイマは、例えばサービス品質（ＱｏＳ）レベルの属性など、１つまたは複数の顧客属性に基づいてその動作を動的に変更する。顧客属性は、データ伝送システムを管理するため、適応パケット非活動タイマの動作を定義する複数のタイマ・パラメータに関連づけられる。さらに、顧客に関連する契約レベルに基づいて、または顧客契約での使用が意図されるアプリケーション・タイプに基づいて、顧客属性を顧客に割り当てることができる。【選択図】図３
2004357304.tif 000002
【特許請求の範囲】
【請求項１】
データ伝送システム中のシステム資源を管理する方法であって、
前記データ伝送システムに適応パケット非活動タイマを関連づける工程であって、前記適応パケット非活動タイマが少なくとも１つの顧客属性に基づいてその動作を動的に変更する工程と、
前記データ伝送システムの管理のために、前記適応パケット非活動タイマの前記動作を定義する複数のタイマ・パラメータに前記少なくとも１つの顧客属性を関連づける工程と
を含む方法。
【請求項２】
前記少なくとも１つの顧客属性が、サービス品質レベルを含む、請求項１に記載の方法。
【請求項３】
顧客に関連する契約レベルに基づいて、前記少なくとも１つの顧客属性を前記顧客に割り当てる工程をさらに含む、請求項１に記載の方法。
【請求項４】
顧客に関連する契約での使用が意図されるアプリケーション・タイプに基づいて、前記少なくとも１つの顧客属性を前記顧客に割り当てる工程をさらに含む、請求項１に記載の方法。
【請求項５】
データ伝送システム中のシステム資源を管理する方法であって、
前記データ伝送システムに適応パケット非活動タイマを関連づける工程であって、前記適応パケット非活動タイマが少なくともサービス品質レベルに基づいてその動作を動的に変更する工程と、
前記データ伝送システムの管理のために、前記適応パケット非活動タイマの前記動作を定義する複数のタイマ・パラメータに前記少なくともサービス品質レベルを関連づける工程と、
複数の変化するパラメータに従って前記適応パケット非活動タイマをインスタンス化する工程と、
前記複数の変化するパラメータに従って前記適応パケット非活動タイマをインスタンス化する工程に応答して、前記適応パケット非活動タイマの前記動作を自動的に変更する工程と
を含む方法。
【請求項６】
データ伝送システム中のシステム資源を管理する装置であって、
前記データ伝送システムに関連づけられ、少なくとも１つの顧客属性に基づいてその動作を動的に変更する適応パケット非活動タイマと、
前記データ伝送システムに関連するデータベース内に記憶され、前記少なくとも１つの顧客属性が関連づけられ、前記データ伝送システムの管理のために、前記適応パケット非活動タイマの前記動作を定義する複数のタイマ・パラメータと
を含む装置。
【請求項７】
前記少なくとも１つの顧客属性が、サービス品質レベルを含む、請求項６に記載の装置。
【請求項８】
前記少なくとも１つの顧客属性が、顧客に関連する契約レベルに基づいて前記顧客に割り当てられる、請求項６に記載の装置。
【請求項９】
前記少なくとも１つの顧客属性が、顧客に関連する契約での使用が意図されるアプリケーション・タイプに基づいて、前記顧客に割り当てられる、請求項６に記載の装置。
【請求項１０】
前記データ伝送システムが、少なくとも１つの顧客属性を送信するＡＡＡを含み、前記データ伝送システムが、
前記少なくとも１つの顧客属性を少なくとも１つのＶＬＲに送信する少なくとも１つのＨＬＲと、
前記少なくとも１つの顧客属性を少なくとも１つのＶＬＲから受信する無線ネットワーク制御装置と、
前記少なくとも１つの顧客属性を前記無線ネットワーク制御装置から受信し、前記適応パケット非活動タイマを処理するパケット制御機能と
を備える、請求項６に記載の装置。
【発明の詳細な説明】
【技術分野】
【０００１】
本発明は、遠隔通信システムに関し、より詳細には遠隔通信システムにおける資源管理に関する。本発明はまた、遠隔通信システムを管理する際に利用されるタイマに関する。
【背景技術】
【０００２】
本出願は、本出願と同じ譲受人に譲渡された以下の出願の主題に関係する主題を含む。以下にリストした出願：２００２年、４月８日出願のＢｉ他の「ＭＥＴＨＯＤ  ＡＮＤ  ＡＰＰＡＲＡＴＵＳ  ＦＯＲ  ＳＹＳＴＥＭ  ＲＥＳＯＵＲＣＥ  ＭＡＮＡＧＥＭＥＮＴ  ＩＮ  Ａ  ＤＡＴＡ  ＴＲＡＮＳＭＩＳＳＩＯＮ  ＳＹＳＴＥＭ」という名称の米国出願第１０／１１７，１０２号は、参照によりその全体が本明細書中に組み込まれている。
主要なセルラ遠隔通信システムのタイプには、ＧＳＭ（Ｇｌｏｂａｌ  Ｓｅｒｖｉｃｅｓ  ｆｏｒ  Ｍｏｂｉｌｅ）規格、ＩＳ−９５（ＴＩＡ／ＥＩＡ／ＩＳ−９５  Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ  Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ）規格、ＩＳ−１３６（ＴＩＡ／ＥＩＡ／ＩＳ−１３６  Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ）規格、ＩＳ−２０００（ＴＩＡ／ＥＩＡ／ＩＳ−７０７  Ｓｐｒｅａｄ  Ｓｐｅｃｔｒｕｍ  ｃｄｍａ２０００  Ｓｔａｎｄａｒｄ）規格、ＡＭＰＳ／ＴＡＣＳ（ＴＩＡ／ＥＩＡ  ５３３  Ａｎａｌｏｇ  Ｓｔａｎｄａｒｄ）規格、およびＵＭＴＳ（ユニバーサル移動電話システム）規格に従って動作するシステムが含まれる。他の主要なセルラ・システムには、それだけには限定されないが、ＩＳ−９５ベースのＡＮＳＩ−Ｊ−ＳＴＤ−００８  １．８〜２．０ＧＨｚ規格に従ってＰＣＳ（ｐｅｒｓｏｎａｌ  ｃｏｍｍｕｎｉｃａｔｉｏｎｓ  ｓｙｓｔｅｍパーソナル移動通信システム）帯域で動作するシステム、またはＧＳＭベースのＰＣＳ  １９００（１９０００ＭＨｚ周波数帯）規格に従って動作するシステムが含まれる。
【０００３】
現在、主要なセルラ・システム規格のほとんどでは、データ・サービスをそのデジタル・セルラ仕様として実装しつつある。ほとんどの規格では、データ・サービス仕様が完成しており、あるいは現在完成しつつある。
【０００４】
１つのデータ・サービス仕様は、フォワード・トラフィック・チャネルおよびリバース・トラフィック・チャネルを介してオクテット・ストリーム・サービスを提供するために利用できるＲＬＰ（ｒａｄｉｏ  ｌｉｎｋ  ｐｒｏｔｏｃｏｌ無線リンク・プロトコル）を含んでいる。このオクテット・ストリーム・サービスでは、ポイント・ツー・ポイント・プロトコル層の可変長データ・パケットを搬送する。ＲＬＰは、ポイント・ツー・ポイントのプロトコル・パケットを伝送のためトラフィック・チャネル・フレームに分割する。トラフィック・チャネル・フレームは、物理層伝送フレームを構成する。ポイント・ツー・ポイント・プロトコル・パケットとトラフィック・チャネル・フレームとの間には直接の関係はない。
【０００５】
大きなパケットは、いくつかのトラフィック・チャネル・フレームにまたがることもあり、また１つのトラフィック・チャネル・フレームが、いくつかのポイント・ツー・ポイント・パケットの全部または一部を含むこともあり得る。ＲＬＰは、高レベルのトラフィック・チャネル・フレーム指示を考慮に入れず、特徴のないオクテット・ストリームに作用し、このオクテットを伝送のためシステム・マルチプレクス副層にポイント・ツー・ポイント層からそのオクテットを受信した順序で配信する。データは、トラフィック・チャネル上に一次トラフィックとして伝送し、あるいは例えば音声と一緒に二次トラフィックとして伝送することができる。ＲＬＰは、２０ミリ秒（ｍｓ）ごとに１フレームを生成しこの多重副層に供給する。ＲＬＰフレームのサイズは、このＲＬＰフレームを伝送するために使用可能な伝送フレームのタイプおよびサイズに依存する。
【０００６】
前記は、データおよびデータ・パケットの伝送に使用するための主要なセルラ・システム規格中のデータ伝送プロトコル層の一例にすぎない。他の規格もまた、データ・パケットの伝送に使用される同様なデータ伝送プロトコルを含んでいる。
【０００７】
大多数のデータ伝送プロトコルは、データ伝送セッションがシステム資源を支配しないようにするための有限タイマを含んでいる。かかるデータ伝送プロトコルは、３Ｇ−１Ｘ
【０００８】
ＦＣＨ（ｆｕｎｄａｍｅｎｔａｌ  ｃｈａｎｎｅｌ基本チャネル）機能を含んでいる。例えば、データ伝送セッションが確立された後に、タイマを起動して連続的に受信／送信したデータ・パケットの間で経過する時間を測定することができる。すなわち、最初のパケットを受信／送信した後に、有限タイマが起動される。タイマの時間が満了する前に後続のパケットを受信／送信しなかった場合には、この遠隔通信システムは、他のデータ・セッションまたは音声セッションで使用できるように資源を解放するためにこのデータ・セッションを停止させる（休眠状態にする）。
【０００９】
遠隔通信システム中でタイマを使用することにより、システム資源が１つまたは複数のデータセッションによって不必要に支配されないようにすることができるが、一様なタイマの使用では、ほぼ定期的に生成されるパケットをもつデータ・セッションが考慮されていない。かかるデータ・セッションには、それだけには限定されないが、天候、交通、株、その他の情報にアクセスするハートビート検索システムなどが含まれる。一般にこのタイプのデータ・セッションでは、非常に少量のデータを非常に頻繁に伝送する必要があり、そのためあるデータ・セッションが、有限値が満了するまで長期間、保持されることになる可能性がある。
【００１０】
一般に、３Ｇ−１Ｘ高速無線パケット・データ・ネットワークは、回路ベースの物理層チャネルに基づいている。物理チャネルを、パケット・データ・トラフィックを送信または受信中に、一時的にユーザに割り当てることができる。チャネルは、そのモバイルがアイドル状態の（すなわち、ある期間、データを送信したり受信したりしていない）とき、取り除くことができる。この期間を一般に非活動時間と呼ぶ。現在展開されているものでは、非活動タイマは、一般に加入者ごとにまたはシステム・レベルで準備される静的タイマ（ｓｔａｔｉｃ  ｔｉｍｅｒ）である。
【特許文献１】米国出願第１０／１１７，１０２号
【発明の開示】
【発明が解決しようとする課題】
【００１１】
したがって、３Ｇ−１Ｘ基本チャネル（ＦＣＨ）を非活動期間後にユーザからどのようにして取り除くかについての現在の処理は、システム・レベルでまたは加入者ごとに準備された静的タイマに基づいている。本発明者らは、システム・レベルでも設定することができる適応パケット非活動タイマが必要であるという結論に達した。本発明者らは、ユーザのＱｏＳ（Ｑｕａｌｉｔｙ  ｏｆ  Ｓｅｒｖｉｃｅサービス品質）レベルまたは他のユーザ属性に基づいて動作を変更する適応パケット非活動タイマを有することが望ましいと考えている。
【課題を解決するための手段】
【００１２】
本発明についての以下の概要は、本発明に特有の革新的な機能の一部の理解を容易にするために提供され、完全な説明を意図したものではない。明細書の全体、特許請求の範囲、図面および要約書を全体として解釈することによって、本発明の様々な態様の完全な理解を得ることができる。
したがって、本発明の一態様は、改善された遠隔通信システムを提供することである。
【００１３】
本発明の他の態様は、遠隔通信システム中で使用するための改善された資源管理の方法およびシステムを提供することである。
本発明のさらに他の態様は、遠隔通信システムを管理する際に使用するための適応パケット非活動タイマを提供することである。
本発明の前述の態様、ならびに他の目的および利点は、次に概要を示すようにして実現することができる。データ伝送システム中のシステム資源を管理する方法およびシステムを、本明細書に開示している。適応パケット非活動タイマをデータ伝送システムに関連づけることができ、適応パケット非活動タイマは、例えばサービス品質（ＱｏＳ）レベルの属性など、１つまたは複数の顧客属性に基づいてその動作を動的に変更する。顧客属性は、データ伝送システムを管理するための、適応パケット非活動タイマの動作を定義する複数のタイマ・パラメータに関連づけることができる。
【００１４】
さらに、顧客に関連する契約レベルに基づいて、または顧客契約での使用が意図されるアプリケーション・タイプに基づいて、顧客属性を顧客に割り当てることができる。複数の変化するパラメータに従って、適応パケット非活動タイマをインスタンス化することができる。さらに、複数の変化するパラメータに従って適応パケット非活動タイマをインスタンス化するのに応答して適応パケット非活動タイマの動作を変更することができる。
【００１５】
本明細書に組み込まれ、本明細書の一部を構成する添付図面は、本発明をさらに例示したものであり、本発明の詳細な説明とあいまって本発明の原理を説明するのに役立つものである。図では、個々の図を通して、同じ参照番号は、同一のまたは機能的に同様な要素を指す。
【発明を実施するための最良の形態】
【００１６】
これらの非限定的な例で論じられる特定の値および構成は、変更が可能であり、本発明の実施形態を単に例示するために引用したものにすぎず、本発明の範囲を限定するものではない。
【００１７】
図１に、本発明の好ましい実施形態を実施するのに適したセルラ端末を図示するブロック図を示す。図２に、図１に示したセルラ端末を、本発明の好ましい実施形態を実装できる無線ネットワークとの関連で示す。図１および図２では、同じまたは類似の部分を、一般に同じ参照番号によって示していることに留意されたい。図１および図２に、本発明の実施形態を実施するのに適した、無線ユーザ端末すなわちＭＳ（ｍｏｂｉｌｅ  ｓｔａｔｉｏｎ移動局）１０、および無線ネットワーク３２を示す。ＭＳ１０は、ベース・サイトまたはＢＳ（ｂａｓｅ  ｓｔａｔｉｏｎ基地局）３０へ信号を送信し、そこから信号を受信するためのアンテナ１２を含む。ＢＳ３０は、ＭＳＣ（ｍｏｂｉｌｅ  ｓｗｉｔｃｈｉｎｇ  ｃｅｎｔｅｒモバイル交換局）３４およびＰＣＦ（ｐａｃｋｅｔ  ｃｏｎｔｒｏｌ  ｆｕｎｃｔｉｏｎパケット制御機能）３１２を含む無線ネットワーク３２の一部である。ＭＳＣ３４は、ＭＳ１０が通信セッションに関与するとき、例えば地上通信幹線に対する接続を提供する。
【００１８】
ＭＳ１０は、ＭＯＤ（ｍｏｄｕｌａｔｏｒ変調器）１４ａ、送信器１４、受信器１６、ＤＥＭＯＤ（ｄｅｍｏｄｕｌａｔｏｒ復調器）１６、およびそれぞれ変調器１４ａに信号を供給し復調器１６ａから信号を受け取るコントローラ１８を含んでいる。これらの信号には、適用可能な無線システムのエア・インターフェース規格に従ってＭＳ１０とＢＳ３０の間で伝送される、速度、データ、および／またはパケット・データなどの信号情報が含まれ得る。
【００１９】
コントローラ１８は、デジタル信号プロセッサ・デバイス、マイクロプロセッサ・デバイスおよび様々なアナログ・デジタル変換器、ならびに他のサポート回路を含むこともできる。ＭＳ１０の制御機能および信号処理機能は、これらデバイス間にそれぞれその機能に応じて割り振られる。ＭＳ１０はまた、従来技術のイヤホンもしくはスピーカ１７、従来技術のマイクロフォン１９、ディスプレイ２０、ユーザ入力装置、一般にキーパッド２２を有するユーザ・インターフェースを含み、これらのすべてが、コントローラ１８に結合されている。キーパッドは、従来の数値（０〜９）キーおよび関連キー（＃、＊）２２ａ、ならびにＭＳ１０を操作するために使用される他のキー２２ｂを含んでいる。これら他のキーには例えば、送信キー、様々なメニューをスクロールするソフト・キー、および電源キーが含まれ得る。ＭＳ１０は、ＭＳ１０を動作させるのに必要な様々な回路に電力を供給する電池２６を含むこともできる。
【００２０】
ＭＳ１０はまた、メモリ２４として一括して示される様々なメモリを含んでいる。メモリ２４には、ＭＳ１０の動作中にコントローラ１８で利用される複数の制約条件および変数を記憶することができる。例えば、メモリ２４には、様々な無線システム・パラメータの値を記憶することができる。コントローラ１８の動作を制御するための動作プログラムも、メモリ２４に記憶される。さらに、メモリ２４には、送信前にまたは受信後にデータを記憶しまたはバッファすることも可能である。
【００２１】
ＭＳ１０はまた、パケット・データを送信し受信するデータ端末として機能することもできる。したがって、この場合には、ＭＳ１０を、適切なＤＰ（ｄａｔａ  ｐｏｒｔデータ・ポート）２８を介してポータブル・コンピュータまたはファックス装置に接続することができる。あるいは、ＭＳ１０は、インターネットおよび／または電子メール・サーバなどのデータ・ネットワークにアクセスするための関連する動作キーおよび／またはソフトウェアを含むこともできる。
【００２２】
ＢＳ３０は、図１のＭＳ１０との信号交換をさせるのに必要な送信機および受信機も含んでいる。ＢＳ３０、ＭＳＣ３４、またはＰＣＦ３１２中に配置することができるコントローラ、プロセッサ、および関連するメモリによって、ＢＳ３０、ＭＳＣ３４、またはＰＣＦ３１２の制御が実現でき、これらを利用して本発明の実施形態による方法および装置を実装することができる。ＭＳＣ３４はさらに、ＰＤＳＮ３１４と、ＡＡＡ３１６と称する認証、許可、および課金（ＡＡＡ）を処理するモジュールとを含むことのできるパケット・データ・ネットワーク５０と通信を行うことができる。
【００２３】
ＰＣＦ３１２、ＰＤＳＮ３１４、ＡＡＡ３１６などの要素をそれぞれモジュールまたはモジュール群として実装することができることが、当業者には理解されよう。本明細書で使用する用語「モジュール」は、一般にはソフトウェア・モジュールを指すが、特定のソフトウェアから独立に動作するものでもしないものでもよいハードウェア装置（すなわち物理モジュール）を指すこともある。したがって、用語「モジュール」および「ソフトウェア・モジュール」を区別なく用いて同じ一般的な機能を指すことができる。コンピュータ・プログラミング技術および遠隔通信技術においては、「モジュール」を、特定のタスクを実施しまたは特定の抽象データ型を実装する、ルーチンおよびデータ構造の集まりとして実装することができる。
【００２４】
モジュールは、一般に、２つの部分から構成される。第１に、ソフトウェア・モジュールは、他のモジュールまたはルーチンがアクセスすることができる定数、データ型、変数、ルーチンなどをリスト化することができる。第２に、専用とすることができ（すなわち、そのモジュールだけからアクセス可能であり）モジュールの基礎となり得るルーチンまたはサブルーチンを実際に実装するソース・コードを含む実装としてソフトウェア・モジュールを構成することができる。したがって、本明細書中で「モジュール」について言及するとき、本発明者らは、一般にはかかるソフトウェア・モジュールまたはその実装を指すが、ハードウェア実装のみ、あるいはソフトウェア実装と組み合わせたハードウェア実装を指すこともある。
【００２５】
図３に、本発明の好ましい実施形態に従って実装することができるシステム３００を図示するブロック図を示す。図２および図３では、同様のまたは同じ部分または要素を同じ参照番号によって示していることに留意されたい。システム３００は一般に、ＨＬＲ３０２を含むことができるデータ伝送システムを含んでおり、このＨＬＲ３０２は、ＱｏＳレベルなどのデータをＶＬＲ３０４に伝えることができ、このＶＬＲ３０４は、無線ネットワーク制御装置３１０と交信することができる。モバイル３０６は、セル３０８と交信することができ、このセル３０８は、無線ネットワーク制御装置３１０と交信することができる。図３のモバイル３０６およびセル３０８は一般に、図２のモバイル１０およびＢＳ３０に類似していることに留意されたい。
【００２６】
無線ネットワーク制御装置３１０からパケット制御機能３１２へとＱｏＳレベルを伝送することができ、これは、特定のＱｏＳレベル（例えば、レベル１ないし１３）に関連するその複数のタイマ・パラメータを示すブロック３１８によって数学的に示される。ＡＡＡ３１６は、ＡＡＡ  ＱｏＳ属性をＰＤＳＮ３１４へと送信することができ、ＰＤＳＮ３１４は、このＡＡＡ  ＱｏＳ属性をパケット制御機能３１２へと送信することができる。システム３００に関連するデータベースまたは他のメモリ位置にこのタイマ・パラメータを記憶することができることに留意されたい。ブロック３１８に示される特定数のＱｏＳレベルは、例示の目的で示したものにすぎないことが、当業者には理解されよう。例えば、個々の設計目標に応じて、本発明の実施形態に従って１３個を上回るまたは１３個を下回るＱｏＳレベルを実装することができる。ブロック３１８は一般に、矢印３２４で示すようにパケット制御機能３１２に関連づけられるが、他の実施形態では、破線３２２によって任意選択で示すように無線ネットワーク制御装置３２２に関連づけることもできる。
【００２７】
システム３００は、ユーザのＱｏＳレベルまたは他の顧客属性に基づいて動作を変更する、適応パケット非活動タイマを一般的に示している。このタイマは、異なるパラメータを用いてそれ自体をインスタンス化することによって動作を変更することが可能である。ＱｏＳレベルは、タイマの動作を定義する１組のパラメータに関連づけることができる。これによって、一部のユーザには３Ｇ−１Ｘ資源のより自由な使用を提供することが可能になり、他のユーザにはより制約的な使用しか提供されないことになる。所与の契約での使用が意図されるアプリケーション・タイプに基づいて、ＱｏＳレベルを割り当てることもできる。タイマをこのようにしてインスタンス化してＱｏＳレベルによって指定される特定の１組のアプリケーション向けに最適化することができる。
【００２８】
所望の動作を指示するために利用されるＱｏＳレベルは、例えば、コール・セットアップ中にパケット制御機能３１２に送られる既存のＡＮＳＩ−４１パラメータ、あるいはＡＡＡ３１６から利用可能になる別のＱｏＳ属性とすることができる。適応パケット非活動タイマは一般に、パケット制御機能３１２上で稼働する。適応パケット非活動タイマの時間が満了すると、パケット制御機能３１２は、無線ネットワーク制御装置３１０にこのコールを解放するように通知し、それによってこのトラフィック・チャネルを解放する。パケット制御機能３１２は、ＱｏＳレベルをパラメータ設定へのインデックスとして利用してそれ自体をインスタンス化することができる。
【００２９】
図４に、本発明の好ましい実施形態に従ってたどることができる論理動作工程を示す、動作の高レベルの流れ図４００を示す。ブロック４０２に示すようにこのプロセスを開始することができる。その後、ブロック４０４に示すように、１つまたは複数のＱｏＳレベルを、適応パケット非活動タイマの動作を定義する１組のパラメータに関連づけることができる。ブロック４０６に示すように、適応パケット非活動タイマは、ユーザのＱＯＳレベルまたは他の顧客属性に基づいて動作を変更する。その後、判断ブロック４０８に示すように、テストを実施して所望のＱｏＳ割当てのタイプを判定する。
【００３０】
その後、ブロック４１０に示すように、ユーザの契約レベルに基づいて１つまたは複数のＱｏＳレベルを割り当てることができる。あるいは、ブロック４１２に示すように、所与の契約での使用が意図されるアプリケーション・タイプに基づいて１つまたは複数のＱｏＳレベルを割り当てることができる。その後、ブロック４１４に示すように、パケット制御機能３１２上で適応パケット非活動タイマを稼働させることができる。次に、その後、ブロック４１６に示すように、パケット制御機能３１２は、コール／トラフィック・チャネルを解放するよう無線ネットワーク制御装置３１０に通知することができる。ブロック４１８に示すように、次いでプロセスを終了することができる。
【００３１】
本明細書に記載の実施形態および例は、本発明およびその実用的なアプリケーションについて最良の説明を与えるために、またそれによって当業者が本発明を実施し利用できるようにするために提示されている。しかし、前述の説明および例が、例示および例の目的のために提示したものにすぎないことが当業者には理解されよう。本発明の他の変形形態および変更形態は、当業者には明らかなはずであり、添付特許請求の範囲には、かかる変形形態および変更形態も包含するものとする。例えば、前記適応パケット非活動タイマが、（必ずしもそうである必要はないが）そのいくつかが互いに並行にまたは同時に動作できる１つまたは複数の顧客属性に基づいてその動作を動的に変更するように、適応パケット非活動タイマをデータ伝送システムに関連づけることのできる構成を一般的に記述しているシステム３００を変更することもできることが当業者には理解されよう。
【００３２】
以上に記載の説明は、網羅的なものでも本発明の範囲を限定するものでもない。前述の教示を考慮すれば、添付の特許請求の範囲に示す範囲から逸脱することなく、多くの変更形態および変形形態が可能である。本発明の使用には、異なる特性を有する構成要素が関与し得ることが企図されている。本発明の範囲は、あらゆる点で等価であると全面的に認識した上で、添付の特許請求の範囲によって定義されるものとする。
【図面の簡単な説明】
【００３３】
【図１】本発明の好ましい実施形態を実施するのに適したセルラ端末を示すブロック図である。
【図２】図１に示したセルラ端末を、本発明の好ましい実施形態を実装することのできる無線ネットワークに関連して示す図である。
【図３】本発明の好ましい実施形態に従って実装することができるシステムを示すブロック図である。
【図４】本発明の好ましい実施形態に従ってたどることができる論理動作工程を示す、動作の高レベルの流れ図である。
【図１】
2004357304.tif 000003
【図２】
2004357304.tif 000004
【図３】
2004357304.tif 000005
【図４】
2004357304.tif 000006